(57)【要約】      （修正有）【課題】スピーカユニットを保護することができ、美観が向上された表示装置及びテレビジョン受信機を提供する。【解決手段】表示装置２は、正面に表示面を有する表示部２１と、スピーカ２３２及びスピーカを収容する筒状のエンクロージャ２３１を有し、エンクロージャの軸長方向が表示部の周縁に沿うスピーカユニット２３とを備える。表示装置はさらに、表示部の周縁部を覆うように表示部に取り付けられる枠体２２と、表示部の正面側からスピーカユニットを表示部の周縁方向に亘り全体的に覆い、周縁方向に亘り全体的に枠体に連続するフロントカバー３１と、表示部の背面側からスピーカユニットを周縁方向に亘り全体的に覆い、フロントカバーに取り付けられるリアカバー３２とを備える。スピーカユニットは、フロントカバーとリアカバーとの間に収容されている。【選択図】図３
2018148373.tif 000002
【特許請求の範囲】
【請求項１】
正面に表示面を有する表示部と、
スピーカ及び該スピーカを収容する筒状のエンクロージャを有し、該エンクロージャの軸長方向が前記表示部の周縁に沿うスピーカユニットと
を備える表示装置において、
前記表示部の周縁部を覆うように前記表示部に取り付けられる枠体と、
前記表示部の正面側から前記スピーカユニットを前記表示部の周縁方向に亘り全体的に覆い、前記周縁方向に亘り全体的に前記枠体に連続するフロントカバーと、
前記表示部の背面側から前記スピーカユニットを前記周縁方向に亘り全体的に覆い、前記フロントカバーに取り付けられるリアカバーと
を備え、
前記スピーカユニットは、前記フロントカバーと前記リアカバーとの間に収容されていることを特徴とする表示装置。
【請求項２】
前記フロントカバー及び前記リアカバー夫々に、互いに係合する係合部が設けられていることを特徴とする請求項１に記載の表示装置。
【請求項３】
前記表示部に固定される固定片が、前記リアカバーから延出していることを特徴とする請求項１又は２に記載の表示装置。
【請求項４】
前記表示部の背面側を、該表示部と前記リアカバーとの境界部分に亘って覆うリアキャビネットを更に備えることを特徴とする請求項１から３の何れかひとつに記載の表示装置。
【請求項５】
請求項１から４の何れかひとつに記載の表示装置と、
テレビジョン放送を受信する受信部と
を備え、
該受信部にて受信したテレビジョン放送に基づいて、前記表示装置に映像を表示することを特徴とするテレビジョン受信機。
【発明の詳細な説明】
【技術分野】
【０００１】
本発明は、表示部とスピーカユニットとを備える表示装置及びテレビジョン受信機に関する。
【背景技術】
【０００２】
従来、映像を表示する表示部と音声を出力するスピーカユニットとを備える表示装置が用いられている（例えば特許文献１参照）。
特許文献１に記載の表示装置の場合、２つのスピーカユニットを含む無指向性のスピーカシステムが、表示部に取り付けられている。各スピーカユニットは、スピーカと、円筒状のエンクロージャとを有する。スピーカは、スピーカの音声出力面がエンクロージャの外側に向くようにして、エンクロージャの長手方向の一端部に収容されている。２つのスピーカユニットは、音声出力面同士が向かい合い、エンクロージャ同士が同軸になるようにして、連結されている。
【０００３】
スピーカシステムは、２つのエンクロージャに同じ向きに突設されている２つの取付部を用いて、表示部の周縁部に取り付けられる。各取付部は、エンクロージャの長手方向に直交する方向に、エンクロージャの長手方向の他端部から突出している。そして、取付部の先端部が、表示部の周縁部に取り付けられる。
【先行技術文献】
【特許文献】
【０００４】
【特許文献１】特開２０１４−１０７７５１号公報
【発明の概要】
【発明が解決しようとする課題】
【０００５】
しかしながら、特許文献１に記載の表示装置の場合、スピーカシステムが直接的に表示部に取り付けられるので、スピーカユニットを保護することができない。
また、特許文献１に記載の表示装置の場合、エンクロージャから突出する取付部が、表示部の周縁部とエンクロージャとの間のスペーサとして機能するので、表示部とスピーカユニットとの間に隙間が形成される。この隙間が表示装置の美観を損なう虞がある。
【０００６】
本発明は斯かる事情に鑑みてなされたものであり、その主たる目的は、スピーカユニットを保護することができ、美観が向上された表示装置及びテレビジョン受信機を提供することにある。
【課題を解決するための手段】
【０００７】
本実施の形態に係る表示装置は、正面に表示面を有する表示部と、スピーカ及び該スピーカを収容する筒状のエンクロージャを有し、該エンクロージャの軸長方向が前記表示部の周縁に沿うスピーカユニットとを備える表示装置において、前記表示部の周縁部を覆うように前記表示部に取り付けられる枠体と、前記表示部の正面側から前記スピーカユニットを前記表示部の周縁方向に亘り全体的に覆い、前記周縁方向に亘り全体的に前記枠体に連続するフロントカバーと、前記表示部の背面側から前記スピーカユニットを前記周縁方向に亘り全体的に覆い、前記フロントカバーに取り付けられるリアカバーとを備え、前記スピーカユニットは、前記フロントカバーと前記リアカバーとの間に収容されていることを特徴とする。
【０００８】
本実施の形態に係る表示装置は、前記フロントカバー及び前記リアカバー夫々に、互いに係合する係合部が設けられていることを特徴とする。
【０００９】
本実施の形態に係る表示装置は、前記表示部に固定される固定片が、前記リアカバーから延出していることを特徴とする。
【００１０】
本実施の形態に係る表示装置は、前記表示部の背面側を、該表示部と前記リアカバーとの境界部分に亘って覆うリアキャビネットを更に備えることを特徴とする。
【００１１】
本実施の形態に係るテレビジョン受信機は、本実施の形態に係る表示装置と、テレビジョン放送を受信する受信部とを備え、該受信部にて受信したテレビジョン放送に基づいて、前記表示装置に映像を表示することを特徴とする。
【発明の効果】
【００１２】
本実施の形態の表示装置及びテレビジョン受信機による場合、スピーカユニットを保護することができ、表示装置及びテレビジョン受信機の美観を向上させることができる。
【図面の簡単な説明】
【００１３】
【図１】実施の形態に係るテレビジョン受信機が備える表示装置を正面側から見た斜視図である。
【図２】表示装置を背面側から見た斜視図である。
【図３】表示装置の分解斜視図である。
【図４】表示装置の断面図である。
【図５】表示装置が備えるフロントカバーを正面側から見た斜視図である。
【図６】フロントカバーを背面側から見た斜視図である。
【図７】フロントカバーを背面側から見た拡大斜視図である。
【図８】表示装置が備えるリアカバーを正面側から見た斜視図である。
【図９】リアカバーを背面側から見た斜視図である。
【発明を実施するための形態】
【００１４】
以下、本発明を、その実施の形態を示す図面に基づいて詳述する。
【００１５】
図１は、実施の形態に係るテレビジョン受信機が備える表示装置を正面側から見た斜視図である。図２は、表示装置を背面側から見た斜視図である。
図中１はテレビジョン受信機であり、テレビジョン受信機１は、受信部１１、信号処理部１２、及び表示装置２を備える。
【００１６】
受信部１１は、受信回路が実装された回路基板である。受信部１１は、図示しないアンテナを介して外部からテレビジョン放送を受信し、受信したテレビジョン放送に基づく放送信号を出力する。
信号処理部１２は、信号処理回路が実装された回路基板である。信号処理部１２は、受信部１１が出力した放送信号に所定の信号処理を施すことによって、映像データを出力する。
受信部１１及び信号処理部１２は表示装置２に内蔵される。なお、受信部１１及び信号処理部１２は、表示装置２に外付けされてもよい。
【００１７】
図３は、表示装置２の分解斜視図である。
図４は、表示装置２の断面図である。
表示装置２は、表示部２１、ミドルキャビネット（枠体）２２、及び２つのスピーカユニット２３，２３を備える。
表示部２１は、一方向に長い矩形板状をなす。表示部２１の一面（非端面）は、表示面２１ａである。表示面２１ａには、信号処理部１２が出力した映像データに基づく映像が表示される。図４には、表示部２１の一方の短辺部の近傍において、表示面２１ａに直交し、且つ表示部２１の長辺に沿う面で切断した表示装置２の断面が示されている。
【００１８】
表示部２１は、液晶表示パネル２１１及びバックライトシャーシ２１２を含む液晶表示ユニットである。液晶表示パネル２１１は表示面２１ａを有する。バックライトシャーシ２１２は皿状をなし、液晶表示パネル２１１を照明するバックライト装置を収容する。また、バックライトシャーシ２１２は、液晶表示パネル２１１を表示面２１ａの裏側から覆う。
テレビジョン受信機１は、表示部２１の厚み方向が前後方向であり、表示部２１の長辺部が左右方向に延び、表示部２１の短辺部が上下方向に延びるようにして使用される。表示部２１の表示面２１ａは前側（正面側）に向けられる。
【００１９】
ミドルキャビネット２２は矩形枠状をなす。ミドルキャビネット２２は、表示部２１の周縁部を全周に亘って表示部２１の後側（背面側）から覆うように、表示部２１に取り付けられる。ミドルキャビネット２２を構成する２つの縦枠２２１，２２１は表示部２１の２つの短辺部を覆い、ミドルキャビネット２２を構成する２つの横枠は表示部２１の２つの長辺部を覆う。
【００２０】
各スピーカユニット２３は円柱型のスピーカユニットである。スピーカユニット２３は２つのエンクロージャ２３１，２３１及び２つのスピーカ２３２，２３２を有する。
各エンクロージャ２３１は有底円筒状をなす。エンクロージャ２３１の長手方向の一端部には、スピーカ２３２が収容される。スピーカ２３２の音声出力面は、エンクロージャ２３１の外側に向き、エンクロージャ２３１の開口を閉鎖する。エンクロージャ２３１，２３１は、スピーカ２３２，２３２の音声出力面同士が向かい合い、エンクロージャ２３１，２３１同士が同軸になるよう連結されている。
【００２１】
図１及び図２に示すように、表示装置２は、２つの収容体３，３を備える。各収容体３は、軸長方向の両端が閉鎖された筒状をなす。収容体３，３は、各収容体３の軸長方向がミドルキャビネット２２の縦枠２２１，２２１に沿うようにして、ミドルキャビネット２２に設けられる。
収容体３には、スピーカユニット２３の軸長方向が収容体３の軸長方向に沿うようにして、スピーカユニット２３が収容される（図４参照）。つまり、スピーカユニット２３，２３は表示部２１の左右両側に配される。
【００２２】
図３及び図４に示すように、収容体３は、フロントカバー３１及びリアカバー３２を有する。フロントカバー３１は、収容体３の周壁の一部（具体的には概ね前半分）を構成する部材である。リアカバー３２は、収容体３の周壁の残部（具体的には概ね後半分）を構成する部材である。
【００２３】
図５は、表示装置２が備えるフロントカバー３１を正面側から見た斜視図である。図６は、フロントカバー３１を背面側から見た斜視図である。図７は、フロントカバー３１を背面側から見た拡大斜視図である。図５〜図７は、表示面２１ａに向かって左側のフロントカバー３１を示す。
図４〜図７に示すように、フロントカバー３１は壁部３１１〜３１３を有する。壁部３１１〜３１３夫々は、一方向に長い矩形平板状をなす。壁部３１１〜３１３夫々の長辺部は、収容体３の軸長方向に延びる。壁部３１１〜３１３は、ミドルキャビネット２２に近い方から、壁部３１３、壁部３１１（第１壁部）、及び壁部３１２（第２壁部）の順に、収容体３の周方向に並ぶ。
【００２４】
壁部３１３の一方の長辺部は、ミドルキャビネット２２の縦枠２２１に一体に設けられる。つまり、壁部３１３は、収容体３の軸長方向に亘り全体的にミドルキャビネット２２の縦枠２２１に連続する。壁部３１３の他方の長辺部と壁部３１１の一方の長辺部とは一体である。壁部３１１の他方の長辺部と壁部３１２の一方の長辺部とは一体である。壁部３１２の他方の長辺部には、複数の係合部３１４，３１４，…が壁部３１２の長辺に沿って並設される（図６参照）。各係合部３１４は矩形状の貫通孔である。
【００２５】
ミドルキャビネット２２の縦枠２２１とフロントカバー３１の壁部３１１とは、壁部３１３に垂直に、且つ壁部３１３の短辺方向の両端部から互いに逆方向に突出する（図４参照）。壁部３１２は、壁部３１１と壁部３１２とが鈍角を形成するようにして、壁部３１１から突出する。壁部３１１から壁部３１２，３１３夫々が突出する側は、互いに同じ側である。
【００２６】
壁部３１１の長手方向の中央部、及び壁部３１１の長手方向の両端部には、３つの通過孔群３３，３３，３３が設けられている（図５参照）。同様に、壁部３１２にも３つの通過孔群３３，３３，３３が設けられている（図５及び図６参照）。
【００２７】
表示装置２の軽量化のため、ミドルキャビネット２２及びフロントカバー３１，３１は合成樹脂製であることが望ましい。ミドルキャビネット２２及びフロントカバー３１，３１が合成樹脂製である場合には特に、ミドルキャビネット２２とフロントカバー３１，３１との境界部分を補強するために、補強部材２４が用いられることが望ましい（図６及び図７参照）。
補強部材２４は十分な強度を有し、例えば金属製である。本実施の形態においては、表示装置２はフロントカバー３１毎に２つの補強部材２４，２４を備える。各補強部材２４は一方向に長い平板状をなす。補強部材２４は、補強部材２４の長手方向がミドルキャビネット２２の横枠に沿うようにして、ミドルキャビネット２２の横枠からフロントカバー３１の長手方向の端部に亘って配される。
【００２８】
図８は、表示装置２が備えるリアカバー３２を正面側から見た斜視図である。図９は、リアカバー３２を背面側から見た斜視図である。図８及び図９は、表示面２１ａに向かって左側のリアカバー３２を示す。
図４、図８、及び図９に示すように、リアカバー３２は半円筒状をなす。
リアカバー３２の長手方向の中央部には、通過孔群３２１が設けられている。
リアカバー３２は、リアカバー３２の軸長方向が収容体３の軸長方向に延び、リアカバー３２の周方向の両端部がフロントカバー３１の壁部３１２，３１３に対向するようにして、フロントカバー３１に取り付けられる。
【００２９】
リアカバー３２の周方向の両端部の内、フロントカバー３１の壁部３１２に対向する方には、係合部３２２，３２２，…がリアカバー３２の軸長方向に沿って並設される。リアカバー３２の係合部３２２，３２２，…の配置位置とフロントカバー３１の係合部３１４，３１４，…の配置位置とは互いに対応している。
各係合部３２２はフック状をなす。係合部３２２は、フロントカバー３１の内側から係合部３１４に表示部２１の厚み方向に挿入されて、係合部３１４の内面及び係合部３１４の開口周縁部に前後方向に係合する。
【００３０】
リアカバー３２の周方向の両端部の内、リアカバー３２の壁部３１３に対向する方には、固定片３２３が設けられる。固定片３２３は平板状をなす。固定片３２３は、リアカバー３２の外周面からリアカバー３２の外側に垂直に延出する。
【００３１】
次に、スピーカユニット２３，２３の収容体３，３への収容について説明する。
まず、ミドルキャビネット２２が、例えば表示部２１のバックライトシャーシ２１２にネジ留めされることによって、表示部２１に取り付けられる。
また、補強部材２４，２４，…の取り付けが行なわれる。
各補強部材２４は、例えば補強部材２４の長手方向の一端部がミドルキャビネット２２の横枠と共に表示部２１のバックライトシャーシ２１２に共締めされ、補強部材２４の長手方向の他端部がフロントカバー３１にネジ留めされることによって、ミドルキャビネット２２及びフロントカバー３１に取り付けられる。
【００３２】
次に、フロントカバー３１，３１にスピーカユニット２３，２３が取り付けられる。
スピーカユニット２３には、２つの取付部２３３，２３３が設けられる（図３参照）。各取付部２３３は、スピーカユニット２３のエンクロージャ２３１の底面に、エンクロージャ２３１の軸長方向に突設される。取付部２３３には貫通孔が設けられる。
一方、各フロントカバー３１の内面には、ボス３１５，３１５が突設される（図６参照）。ボス３１５，３１５はフロントカバー３１の長手方向の両端部付近に位置している。各ボス３１５の内周面には雌ネジが形成される。
取付部２３３，２３３は、取付部２３３，２３３夫々の貫通孔を通してフロントカバー３１のボス３１５，３１５にネジ留めされる。この結果、スピーカユニット２３の軸長方向とフロントカバー３１の長手方向とが一致する。
【００３３】
次いで、フロントカバー３１，３１にリアカバー３２，３２が取り付けられる。
各リアカバー３２は、リアカバー３２の係合部３２２，３２２，…がフロントカバー３１の係合部３１４，３１４，…に係合することによって、フロントカバー３１に取り付けられる。係合部３１４，３１４，…と係合部３２２，３２２，…との係合によって、フロントカバー３１にリアカバー３２を取り付けることは容易である。
【００３４】
更に、リアカバー３２，３２の固定片３２３，３２３が、ミドルキャビネット２２と共に表示部２１に固定される。
具体的には、リアカバー３２の固定片３２３が、ミドルキャビネット２２の縦枠２２１と共に、表示部２１のバックライトシャーシ２１２に共締めされる。
【００３５】
以上の結果、収容体３が形成される。スピーカユニット２３は、エンクロージャ２３１，２３１の軸長方向が表示部２１の短辺に沿うように、また、取付部２３３，２３３を除くスピーカユニット２３が収容体３から離隔するようにして、収容体３に収容される。スピーカユニット２３は、フロントカバー３１に前側から表示部２１の短辺方向に亘り全体的に覆われ、リアカバー３２に後側から表示部２１の短辺方向に亘り全体的に覆われる。収容体３のフロントカバー３１が有する壁部３１１は、表示部２１に隣り合い、表示部２１の表示面２１ａに沿う方向に延びる。壁部３１２は、後側に傾斜するようにして壁部３１１の表示部２１とは逆側に連続する。
【００３６】
ミドルキャビネット２２はネジ留めによって表示部２１に固定される。フロントカバー３１，３１夫々はミドルキャビネット２２に一体に設けられる。リアカバー３２，３２は係合部３１４，３１４，…と係合部３２２，３２２，…との係合によってフロントカバー３１，３１に取り付けられ、更に、リアカバー３２，３２から延出する固定片３２３，３２３が、ミドルキャビネット２２と共にネジ留めによって表示部２１に固定される。つまり、リアカバー３２，３２はフロントカバー３１，３１及び表示部２１の両方によって支えられる。以上の結果、収容体３，３の脱落が防止される。
【００３７】
係合部３２２は、係合部３１４に後側から挿入され、係合部３１４の内面及び開口周縁部に前後方向に係合する。故に、収容体３を左右方向に小型化することができるので、表示装置２が左右方向に大型化することを抑制することができる。
なお、スピーカユニット２３はフロントカバー３１に取り付けられる構成に限定されるものではなく、リアカバー３２に取り付けられる構成でもよい。
【００３８】
表示装置２の軽量化のために、フロントカバー３１及びリアカバー３２が共に合成樹脂製であることが望ましい。収容体３は周方向の全体に亘って閉じた筒状なので、フロントカバー３１及びリアカバー３２が共に合成樹脂製であっても、十分な強度を得ることができる。
【００３９】
図１及び図３に示すように、表示装置２は、２つのカバー４，４を更に備える。
各カバー４は、一方向に長い板状をなす。カバー４には通過口群４１，４１，…が設けられている。通過口群４１，４１，…の配置位置は、フロントカバー３１の通過孔群３３，３３，…の配置位置に対応する。
図４に示すように、カバー４はネット４２を保持する。ネット４２は、カバー４の外面を全面的に覆い、ネット４２の周縁部がカバー４の内面に固定（例えば溶着）される。ネット４２は、全ての通過口群４１，４１，…を覆う。図１及び図３におけるネット４２の図示は省略されている。
カバー４は、カバー４の通過口群４１，４１，…とフロントカバー３１の通過孔群３３，３３，…とが向かい合うようにして、フロントカバー３１，３１に取り付けられる。
【００４０】
表示装置２は、リアキャビネット２５を更に備える。ただし、図４におけるリアキャビネット２５の図示は省略されている。
リアキャビネット２５は矩形皿状をなす。リアキャビネット２５は、リアキャビネット２５の内面が表示部２１の後面に向くようにして、表示部２１の背面側を覆う。リアキャビネット２５は、表示部２１とリアカバー３２，３２夫々との境界部分も覆う。
【００４１】
表示装置２は、２つの装飾部材２６，２６を更に備える。一方の装飾部材２６は、表示部２１の上辺部から収容体３，３夫々の上部までを覆う。他方の装飾部材２６は、表示部２１の下辺部から収容体３，３夫々の下部までを覆う。
【００４２】
以上のような表示装置２及びテレビジョン受信機１の場合、スピーカユニット２３が収容体３（フロントカバー３１とリアカバー３２との間）に収容されるので、スピーカユニット２３を保護することができる。
【００４３】
ミドルキャビネット２２が表示部２１の周縁部を覆い、フロントカバー３１が表示部２１の周縁方向に全体的にミドルキャビネット２２に連続するので、表示部２１と、スピーカユニット２３を覆うフロントカバー３１との間に隙間は生じない。また、リアキャビネット２５が表示部２１とリアカバー３２との境界部分を覆うので、表示部２１と、スピーカユニット２３を覆うリアカバー３２との間に隙間は生じない。更に、装飾部材２６，２６が表示部２１と収容体３，３夫々の上下両端部との境界部分を覆うので、表示部２１と、スピーカユニット２３を収容する収容体３との間に隙間は生じない。つまり、表示部２１とスピーカユニット２３との間に見苦しい隙間が生じない。
従って、表示装置２及びテレビジョン受信機１の美観を向上させることができる。
【００４４】
スピーカユニット２３のスピーカ２３２，２３２から出力された音声は、通過孔群３３，３３，…と通過口群４１，４１，…とを通って、表示装置２の前側に伝わる。また、スピーカユニット２３から出力された音声は、通過孔群３２１を通って、表示装置２の後側に伝わる。
ネット４２を有するカバー４は、スピーカネットとして機能する。ネット４２が通過口群４１，４１，…及び通過孔群３３，３３，…を覆うので、スピーカ２３２，２３２が出力した音声を通しつつスピーカユニット２３を保護することができる。
【００４５】
スピーカユニット２３は、取付部２３３，２３３以外は収容体３から離隔しているので、スピーカユニット２３の振動（音声出力）が収容体３によって阻害されることがない。故に、スピーカユニット２３から所定の音声を出力することができ、雑音を低減することができる。
また、スピーカユニット２３は収容体３の内部という独立した空間に収容されているので、スピーカユニット２３から出力された音声が例えばリアキャビネット２５の内部に籠ったり、所定外の経路を回り込んだりすることがない。
以上の結果、収容体３の設計の最適化によって、表示装置２の外部に伝わる音声の音質を向上させることと、収容体３の小型化とを容易に両立させることができる。
【００４６】
最後に、実施の形態についてまとめる。
【００４７】
本実施の形態に係る表示装置２は、正面に表示面２１ａを有する表示部２１と、スピーカ２３２及び該スピーカ２３２を収容する筒状のエンクロージャ２３１を有し、該エンクロージャ２３１の軸長方向が前記表示部２１の周縁に沿うスピーカユニット２３とを備える表示装置２において、前記表示部２１の周縁部を覆うように前記表示部２１に取り付けられるミドルキャビネット２２（枠体）と、前記表示部２１の正面側から前記スピーカユニット２３を前記表示部２１の周縁方向に亘り全体的に覆い、前記周縁方向に亘り全体的に前記ミドルキャビネット２２に連続するフロントカバー３１と、前記表示部２１の背面側から前記スピーカユニット２３を前記周縁方向に亘り全体的に覆い、前記フロントカバー３１に取り付けられるリアカバー３２とを備え、前記スピーカユニット２３は、前記フロントカバー３１と前記リアカバー３２との間に収容されていることを特徴とする。
【００４８】
本実施の形態に係る表示装置２は、前記フロントカバー３１及び前記リアカバー３２夫々に、互いに係合する係合部３１４，３２２が設けられていることを特徴とする。
【００４９】
本実施の形態に係る表示装置２は、前記表示部２１に固定される固定片３２３が、前記リアカバー３２から延出していることを特徴とする。
【００５０】
本実施の形態に係る表示装置２は、前記表示部２１の背面側を、該表示部２１と前記リアカバー３２との境界部分に亘って覆うリアキャビネット２５を更に備えることを特徴とする。
【００５１】
本実施の形態に係るテレビジョン受信機１は、本実施の形態に係る表示装置２と、テレビジョン放送を受信する受信部１１とを備え、該受信部１１にて受信したテレビジョン放送に基づいて、前記表示装置２に映像を表示することを特徴とする。
【００５２】
本実施の形態にあっては、スピーカユニットがフロントカバーとリアカバーとの間に収容されるので、スピーカユニットを保護することができる。
枠体は表示部の周縁部を覆う。フロントカバーは表示部の周縁方向に全体的に枠体に連続する。故に、表示部と、スピーカユニットを覆うフロントカバーとの間に隙間は生じない。この結果、表示装置、更には表示装置を備えるテレビジョン受信機の美観を向上させることができる。
【００５３】
本実施の形態にあっては、係合部同士の係合によって、フロントカバーにリアカバーを容易に取り付けることができる。
【００５４】
本実施の形態にあっては、リアカバーから延出している固定片が表示部に固定される。故に、フロントカバー及び表示部の両方によってリアカバーを支えることができる。
【００５５】
本実施の形態にあっては、リアキャビネットが表示部とリアカバーとの境界部分を表示部の背面側から覆う。故に、表示部と、スピーカユニットを覆うリアカバーとの間に隙間は生じない。この結果、表示装置の美観を向上させることができる。
【００５６】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
【符号の説明】
【００５７】
１      テレビジョン受信機
１１    受信部
２      表示装置
２１    表示部
２１ａ  表示面
２２    ミドルキャビネット（枠体）
２３    スピーカユニット
２３１  エンクロージャ
２３２  スピーカ
２５    リアキャビネット
３１    フロントカバー
３１４，３２２  係合部
３２    リアカバー
３２３  固定片
【図１】
2018148373.tif 000003
【図２】
2018148373.tif 000004
【図３】
2018148373.tif 000005
【図４】
2018148373.tif 000006
【図５】
2018148373.tif 000007
【図６】
2018148373.tif 000008
【図７】
2018148373.tif 000009
【図８】
2018148373.tif 000010
【図９】
2018148373.tif 000011